(57)【要約】【課題】既存の合成樹脂製の搬送用パレットにおいて、該パレットにキャスターを取り付ける際に、堅牢に安定して固定できる搬送用パレットの固定構造を開発・提供するものである。【解決手段】合成樹脂製のパレットであって、該パレットの底面部にキャスターを装着した搬送用のパレット（１）において、該パレットの底面部（Ｘ）に、キャスター（２）固定用の穴開け部（３）を複数個設け、該穴開け部（３）に、全周あるいは一部が適合する固定用部材（４）を設け、該固定用部材（４）にキャスター（２）を固定し、該固定用部材（４）を前記穴開け部（３）に固定することを特徴とする搬送用パレットにおけるキャスターの固定構造から構成される。【選択図】  図３
2016113183.tif 000002
【特許請求の範囲】
【請求項１】
合成樹脂製のパレットであって、
該パレットの底面部にキャスターを装着した搬送用のパレットにおいて、
該パレットの底面部に、キャスター固定用の穴開け部を複数個設け、
各穴開け部に、それぞれ固定用部材を設け、
各固定用部材にキャスターを固定し、
該固定用部材を前記穴に固定する
ことを特徴とする搬送用パレットにおけるキャスターの固定構造。
【請求項２】
前記キャスター固定用の穴開け部が、
独立した穴、あるいは切り欠きである
ことを特徴とする請求項１記載の搬送用パレットにおけるキャスターの固定構造。
【請求項３】
前記固定用部材が、
無底の箱体であって、
該箱体の底部周囲にフランジ部を設け、
該フランジ部にキャスターの取付座並びにパレットをネジで固定し、
前記キャスターの上面に取付座を留め具で固定する
ことを特徴とする請求項１記載の搬送用パレットにおけるキャスターの固定構造。
【発明の詳細な説明】
【技術分野】
【０００１】
この発明は、搬送用（輸送用）パレットにおけるキャスターの固定構造に関するものであり、特に、合成樹脂製の搬送パレットにおけるキャスターの固定構造に関するものである。
【背景技術】
【０００２】
従来、搬送用パレットは、主に物流関係に用い、荷物を搭載するための荷役台であって最も代表的なパレットは、荷物輸送用に使用するものであり、該パレットの側面部に、少なくともフォークリフトの爪（リフト）を差し込むためのリフトアップ用の穴が一対形成されており、該パレットに搭載した荷物をパレットごと搬送するものである。
【０００３】
そして、該パレットの代表的なものは平パレットと呼ばれるものであり、素材は、木製、金属製、紙製パレットの他、合成樹脂製等があるが、湿気などに強いこと、また、その他の理由により合成樹脂製の搬送パレットが主流となっている。
【０００４】
しかし、この合成樹脂製のパレットは、プラパレとも呼ばれ、木製パレットと比べ強度も耐荷重に優れ、破損が少ないのが特徴であり、その強度を活かし、リフトアップ用の穴が４方向に設けられている。
【０００５】
そして、底面にキャスターを設け、荷物の運搬、移送、保管等に使用される合成樹脂製パレットは、本願出願人が開発し、特許を取得している。例えば、特許文献１、特許文献２のように。
【先行技術文献】
【特許文献】
【０００６】
【特許文献１】特許第５１８８３３５号公報
【特許文献２】特許第５２６１０７５号公報
【発明の概要】
【発明が解決しようとする課題】
【０００７】
そこでこの発明は、既存の合成樹脂製の搬送用パレットにおいて、該パレットにキャスターを取り付ける際に、堅牢に安定して固定できる搬送用パレットの固定構造を開発・提供するものである。
【課題を解決するための手段】
【０００８】
この発明の搬送用パレットは、
合成樹脂製のパレットであって、
該パレットの底面部にキャスターを装着した搬送用のパレットにおいて、
該パレットの底面部に、キャスター固定用の穴開け部を複数個設け、
各穴開け部に、それぞれ固定用部材を設け、
各固定用部材にキャスターを固定し、
該固定用部材を前記穴に固定する
ことを特徴とする。
【０００９】
前記キャスター固定用の穴開け部が、
独立した穴、あるいは切り欠きである
ことを特徴とする。
【００１０】
前記固定用部材が、
無底の箱体であって、
該箱体の底部周囲にフランジ部を設け、
該フランジ部にキャスターの取付座並びにパレットをネジで固定し、
前記キャスターの上面に取付座を留め具で固定する
ことを特徴とする。
【発明の効果】
【００１１】
この発明によると、搬送用パレットの底面部に穴開け部を設けるため、既存のパレットにも応用でき、キャスターを有さない合成樹脂製パレットに新たな走行手段を設けることができるという極めて有益なる効果を奏するものである。
【００１２】
また、この発明によると、パレットの底面部にキャスター固定用の穴開け部を設け、該穴に固定用部材を設け、該部材にはフランジを設け、該フランジ部にキャスターを取り付けるため、キャスターを固定用部材を介してパレットに固定するため、堅牢に固定できるという効果を奏する。
【図面の簡単な説明】
【００１３】
【図１】この発明に使用するパレットの一実施例を示す斜視図である。
【図２】この発明の一実施例を示し、（Ａ）はキャスターの斜視図であり、（Ｂ）は固定用部材の斜視図である。
【図３】この発明の使用状態の一実施例を示し、（Ａ）は、取付け状態を示す説明図であり、（Ｂ）は、完成状態を示す斜視図である。
【発明を実施するための形態】
【００１４】
以下、この発明の好適な実施の形態について詳細に説明する。この発明においては、以下の記述に限定されるものではなく、この発明の要旨を逸脱しない範囲においては適宜変更可能である。
【実施例】
【００１５】
次に、この発明の一実施例を図面に基づいて詳述すると、合成樹脂製のパレットであって、該パレットの底面部にキャスターを装着した搬送用のパレット（１）において、
該パレットの底面部（Ｘ）に、キャスター（２）固定用の穴開け部（３）を複数個設け、該穴開け部（３）に、全周あるいは一部が適合する固定用部材（４）を設け、該固定用部材（４）にキャスター（２）を固定し、該固定用部材（４）を前記穴開け部（３）に固定することを特徴とする搬送用パレットにおけるキャスターの固定構造から構成される。
【００１６】
尚、前記キャスター（２）は、相対向する側面に一対のキャスターを設けており、一方に、走行方向が固定している固定キャスター（２）、下方には、走行方向が旋回する自在キャスター（２′）を設けている。また、キャスターを固定する固定用の穴開け部（３）は、図面には独立した穴を示したが、切り欠きであってもよいものである。
【００１７】
さらに、前記固定用部材（４）が、無底の箱体であって、該箱体の底部周囲にフランジ部（４ａ）を設け、該フランジ部をネジ（５）でパレット（１）に固定し、前記箱体の上面にキャスター（２）の取付座（２ａ）を留め具（５′）で固定する。なお、留め具（５′）とは、その一例を述べると、ボルト・ナットであるが、キャスター（２）と固定用部材（４）とを留める，即ち，固定するものであればよく、特に限定しない。
【００１８】
また、前記固定用部材（４）は、前記パレットの底面部（Ｘ）に形成した穴開け部（３）に嵌挿し固定するものであるが、穴開け部（３）の底面と固定用部材（４）の上面とは密着しても、密着しなくてもよいものである。
【産業上の利用可能性】
【００１９】
この発明の搬送用パレットにおけるおけるキャスターの固定構造の技術を確立し、実施することにより産業上利用可能性があるものである。
【符号の説明】
【００２０】
１  搬送用のパレット
２，２′  キャスター
２ａ  取付座
３  穴開け部
４  固定用部材
４ａ  フランジ部
５  ネジ
５′留め具
Ｘ  パレットの底面部
【図１】
2016113183.tif 000003
【図２】
2016113183.tif 000004
【図３】
2016113183.tif 000005